(57)【特許請求の範囲】
【請求項１】
太陽光パネルと屋根材が同一の屋根面に配置されるとともにその傾斜方向に並んで配置された太陽光発電屋根であって、
前記太陽光発電屋根のケラバに配置されるケラバ化粧材と、
前記ケラバに沿って配置され、前記屋根材を支持する屋根材用縦桟と、を備え、
前記ケラバ化粧材は、
前記屋根面から立ち上がる立上がり部と、
該立上がり部の上端から前記屋根材側に延出し、前記屋根材のケラバ側端部を覆う覆い部と、
該覆い部に取り付けられ、該覆い部から前記屋根材の上面に向かって垂下して前記屋根材と前記覆い部との間の隙間を塞ぐ垂下部と、を有し、
前記垂下部は、前記覆い部に対する取り付け位置が、前記屋根材の上面に接近又は離隔する方向に調整可能に構成され、
前記屋根材は、前記屋根材用縦桟と、前記垂下部の下端との間に挟持され、
前記ケラバ化粧材は、前記太陽光パネルのケラバ側端部及び前記屋根材のケラバ側端部を覆うように前記傾斜方向に連続して配置される太陽光発電屋根。
【請求項２】
前記覆い部は、前記屋根材側の端部から前記屋根材の上面に向かって延びる延出部を有し、
前記垂下部は、前記延出部の前記ケラバ側とは反対側の側面に対して、前記屋根材の上面に接近又は離隔する方向に調整可能に取り付けられる請求項１に記載の太陽光発電屋根。
【請求項３】
前記垂下部は、その下端に設けられて前記屋根材の上面に当接する水返し部を有する請求項１又は２に記載の太陽光発電屋根。
【発明の詳細な説明】
【技術分野】
【０００１】
本発明は、ケラバ化粧材に関する。
【背景技術】
【０００２】
従来、屋根に太陽光パネルや屋根材等の面材を設置する際に、屋根の棟から軒先へと延びるケラバと呼ばれる妻側の端縁には、ケラバ化粧材を配置して美観を向上させることが知られている。ケラバ化粧材は、面材のケラバ側の端部を覆うように配置される。
【０００３】
面材は、建物や屋根の意匠性に応じて、厚みや平面の形状が様々に異なる。ケラバ化粧材は、面材を覆うために、面材よりも厚さ方向の寸法が大きく形成される。様々な面材に適合するようにケラバ化粧材の高さを予め大きく設定すると、薄い面材を用いた場合に、ケラバ化粧材と面材との間に隙間が生じる場合がある。面材とケラバ化粧材との間に隙間が生じると、雨水が浸入したり、鳥や小動物が入り込んだりする場合があるため、隙間を形成しないことが望ましい。そこで、面材の厚さに応じてケラバ化粧材の高さを変えられるケラバ化粧材が提案されている（例えば、特許文献１参照）。
【先行技術文献】
【特許文献】
【０００４】
【特許文献１】特開２０１３−２５６８１０号公報
【発明の概要】
【発明が解決しようとする課題】
【０００５】
ところで、屋根に太陽光パネルを設置する場合、日当たりの良好な面に太陽光パネルを設置して、日のあまり当たらない面に屋根材を敷設することが行われる。この場合、太陽光パネルの厚さと屋根材の厚さは異なる。また、一つの屋根面に、異なる種類の屋根材を張り分ける場合もある。特許文献１に記載のケラバ化粧材によれば、厚さの異なる面材をケラバ化粧材で覆うと、屋根の部分によってケラバ化粧材の高さが揃わなくなり、美観が損なわれるという問題があった。
【０００６】
従って、本発明の目的は、面材の厚さに関わらず、ケラバ化粧材の高さを変えずに、面材とケラバ化粧材との隙間を塞ぐことができるケラバ化粧材を提供することにある。
【課題を解決するための手段】
【０００７】
上記目的を達成するため本発明は、屋根面（例えば、上述の屋根面１Ｂ及び屋根面１Ａの下側の面１Ｃ）に面材（例えば、上述のスレート３）が敷設された屋根（例えば、上述の太陽光発電屋根１）のケラバ（例えば、上述のケラバ９）に配置されるケラバ化粧材（例えば、上述のケラバ化粧材１０Ｂ）であって、前記屋根面から立ち上がる立上がり部（例えば、上述の立上がり部１２０ｃ）と、該立上がり部の上端から前記面材側に延出し、前記面材のケラバ側端部を覆う覆い部（例えば、上述の覆い部１２０ａ）と、該覆い部に取り付けられ、該覆い部から前記面材の上面に向かって垂下して前記面材と前記覆い部との間の隙間を塞ぐ垂下部（例えば、上述の垂下部７）と、を有し、前記垂下部は、前記覆い部に対する取り付け位置が、前記面材の上面に接近又は離隔する方向に調整可能に構成されるケラバ化粧材を提供する。
【０００８】
また、前記覆い部は、前記面材側の端部から前記面材の上面に向かって延びる延出部（例えば、上述の延出部１２２）を有し、前記垂下部は、前記延出部の前記ケラバ側とは反対側の側面に対して、前記面材の上面に接近又は離隔する方向に調整可能に取り付けられることが好ましい。
【０００９】
また、前記垂下部は、その下端に設けられて前記面材の上面に当接する水返し部（例えば、上述の水返し部７２）を有することが好ましい。
【００１０】
また、太陽光パネル（例えば、上述の太陽光パネル２）と屋根材（例えば、上述のスレート３）が同一の屋根面（例えば、上述の屋根面１Ａ）に配置されるとともにその傾斜方向に並んで配置された太陽光発電屋根（例えば、上述の太陽光発電屋根１）であって、上述のケラバ化粧材を備え、前記ケラバ化粧材は、前記太陽光パネルのケラバ側端部及び前記屋根材のケラバ側端部を覆うように前記傾斜方向に連続して配置される太陽光発電屋根であることが好ましい。
【発明の効果】
【００１１】
本発明によれば、面材の厚さに関わらず、ケラバ化粧材の高さを変えずに、面材とケラバ化粧材との隙間を塞ぐケラバ化粧材を提供することができる。
【図面の簡単な説明】
【００１２】
【図１】本発明の一実施形態に係る太陽光発電屋根１を示す斜視図であり、（ａ）図は建物に太陽光発電屋根が配置された状態を示し、（ｂ）図は、（ａ）図におけるＣ−Ｃ線の拡大断面図である。
【図２】図１のＡ−Ａ線の端面の部分拡大図である。
【図３】図１のＢ−Ｂ線の端面の部分拡大図である。
【発明を実施するための形態】
【００１３】
以下、本発明の実施形態について、図面を参照しながら詳しく説明する。
図１は、本発明の一実施形態に係る太陽光発電屋根１を示す斜視図である。図１（ａ）に示すように、建物１０１の太陽光発電屋根１（以下、単に屋根１とも言う）は、棟の両側で下方に傾斜する屋根面１Ａ、１Ｂを有する切妻屋根を構成する。日当たりの良い側の屋根面１Ａの上部側には、太陽光パネル２が敷設されている。日当たりの悪い側の屋根面１Ｂと、屋根面１Ａの下側の面１Ｃには、面材としてのスレート３が敷設されている。
【００１４】
図２は、図１（ａ）のＡ−Ａ線の端面の部分拡大図である。図２では、屋根面１Ａの太陽光パネル２が敷設されたケラバ９側の断面を示している。ケラバ９とは、切妻屋根や片流れ屋根の妻側の端部を言い、本実施形態では、切妻屋根の端部として説明する。図２を参照して、屋根面１Ａの太陽光パネル２が配置された部分の構成について説明する。
屋根１の一方の屋根面１Ａは、下地材５と、太陽光パネル架台２０と、太陽光パネル２と、第１ケラバ化粧材１０Ａと、を備える。
【００１５】
下地材５は、野地板５１と、防水シート５２と、鋼板５３と、を備える。下地材５は、屋根１の土台部分を構成し、後述する太陽光パネル架台２０を固定支持する。
【００１６】
野地板５１は、屋根１の骨組みである垂木の上に張られて配置される。この野地板６１は、屋根１の全面に配置される。野地板５１としては、合板等の板材が用いられる。
【００１７】
防水シート５２は、上述の野地板５１上に配置される。防水シート５２としては、板紙にアスファルトを含浸させたアスファルトルーフィング等の防水材料が用いられる。
【００１８】
鋼板５３は、上述の防水シート５２上に配置される。鋼板５３としては、従来公知の防火鋼板等が用いられる。
【００１９】
太陽光パネル架台２０は、上述の下地材５上に配置される。太陽光パネル架台２０は、ビス止めされることで下地材５に固定される。太陽光パネル架台２０は、太陽光パネル２を下方から支持する。
太陽光パネル架台２０は、格子状に枠組みされた複数の太陽光パネル用縦桟２１及び複数の横桟２２を有する。
【００２０】
太陽光パネル用縦桟２１は、屋根面１Ａの傾斜方向に延びて、棟から軒先に亘って設けられる。太陽光パネル用縦桟２１は、屋根面１Ａの傾斜方向に沿い、傾斜方向に直交する方向に一定間隔を空けて複数配置され、下地材５にビス止めされる。
【００２１】
横桟２２は、屋根面１Ａの傾斜方向に直交する方向に延びて設けられ、太陽光パネル用縦桟２１上にビス止めされる。横桟２２は、隣接する太陽光パネル用縦桟２１同士を、橋渡しするように複数設けられる。
【００２２】
太陽光パネル２は、以上の太陽光パネル架台２０を構成する太陽光パネル用縦桟２１及び横桟２２に取り付けられ、固定支持される。
【００２３】
第１ケラバ化粧材１０Ａは、屋根面１Ａのケラバ９に配置される。第１ケラバ化粧材１０Ａは、屋根面１Ａの傾斜方向に延びて屋根面１Ａのケラバ９をそれぞれ覆い、ケラバ９を保護する部材である。
【００２４】
図２に示すように、第１ケラバ化粧材１０Ａは、第１外側枠材１１と、第１内側枠材１２と、隙間カバー１３と、を有する。
【００２５】
第１外側枠材１１は、ケラバ９に沿って延設され、第１内側枠材１２にビス止めされる。第１外側枠材１１は、上面部１１ａと、内側面部１１ｂと、外側面部１１ｃと、を有する。
上面部１１ａは、第１外側枠材１１の天面側に延びる。
内側面部１１ｂは、上面部１１ａの太陽光パネル２側の端部から下方に垂設される。
外側面部１１ｃは、上面部１１ａのケラバ側端部から下方に垂設置され、下地材５よりも下方に延出する。
【００２６】
第１内側枠材１２は、ケラバ９に沿って延設され、第１外側枠材１１の下方内側に配置される。第１内側枠材１２は、太陽光パネル用縦桟２１にビス止めされて固定される。具体的には、第１内側枠材１２は、取り付け面１２ａと、下地材接触面１２ｂと、中壁部１２ｃと、を有する。
取り付け面１２ａは、下地材５と平行に延びて太陽光パネル用縦桟２１の上面に接触可能な面である。
下地材接触面１２ｂは、下地材５と平行に延びて下地材５に直接接触する面である。
中壁部１２ｃは、取り付け面１２ａ及び下地材接触面１２ｂを接続するとともに、太陽光パネル用縦桟２１の高さ方向に立ち上がる。取り付け面１２ａ及び中壁部１２ｃにより、内部に太陽光パネル用縦桟２１の一部を収容可能な凹部１２５が形成され、太陽光パネル用縦桟２１のケラバ９側の端部が取り付け面１２ａに固定される。
【００２７】
隙間カバー１３は、第１外側枠材１１の上面部１１ａに取り付けられる。隙間カバー１３は、上面部１１ａに沿って下地材５と略平行に延びる板状の部材であり、第１外側枠材１１にビス止めされて固定される。隙間カバー１３は、第１ケラバ化粧材１０Ａと太陽光パネル２との間に形成される隙間を塞ぐ。
【００２８】
次に、図３を参照して、スレート３が敷設された屋根面１Ｂ及び屋根面１Ａの下側の面１Ｃの構成について説明する。なお、本発明における「面材」とは、太陽光パネルや屋根材等の屋根１に敷設される板面状の部材を意味するが、以下の実施形態では、特にスレート３として説明する。
屋根１の日が良く当たる屋根面１Ａの下側の面１Ｃ及び日が当たりにくい屋根面１Ｂは、下地材５と、スレート３と、屋根材用縦桟４と、本発明に係るケラバ化粧材としての第２ケラバ化粧材１０Ｂと、垂下部７と、を備える。
【００２９】
下地材５は、野地板５１と、防水シート５２と、を備える。野地板５１及び防水シート５２は、屋根面１Ａの太陽光パネル２の下に配置されるものと同様に構成される。
【００３０】
スレート３は、屋根面１Ｂ及び屋根面１Ａの下側の面１Ｃを覆う板部材であり、複数の板部材を並べて屋根面１Ｂの表側を覆う部材である。スレート３は、波状に曲面を有する場合もあるが、図３では、簡略化して一枚の平面状に示されている。スレート３は、太陽光パネル２が敷設された屋根面１Ａと同一の屋根面１Ａの下側の面１Ｃに配置され、傾斜方向に並んで配置されている。
【００３１】
屋根材用縦桟４は、屋根面１Ｂ及び屋根面１Ａの下側の面１Ｃにおいて、屋根１の棟側から軒側へ上下に延び、ケラバ９に沿って配置される。屋根材用縦桟４は、スレート３を支持する。屋根材用縦桟４は、太陽光パネル２を支持する太陽光パネル用縦桟２１とは形状が異なる。屋根面１Ｂ及び屋根面１Ａの下側の面１Ｃでは、太陽光パネル２を設置しないため、横桟は設けられない。
【００３２】
屋根材用縦桟４は、側面視で略Ｌ字状に形成され、長辺が下地材に接触し、短辺が上方に立ち上がる。短辺の上方端部は、長辺と平行な方向にスレート３側へ延出している。屋根材用縦桟４は、下面部４１と、側壁部４２と、上面部４３と、リブ部４４と、屋根材支持面部４６と、を備える。
【００３３】
下面部４１は、スレート３のケラバ側端部の下面側に位置し、屋根材用縦桟４におけるＬ字状の長辺部分に相当する。
【００３４】
側壁部４２は、スレート３のケラバ側端部の外側（ケラバ９側）に位置し、下面部４１のケラバ側の端部４１ａからスレート３の厚さ方向上方へ立ち上がるように垂設される。側壁部４２は、屋根材用縦桟４におけるＬ字状の短辺部分に相当する。側壁部４２には、スレート３と側壁部４２との間の隙間を調節する調節材４２１が配置されていてよい。
【００３５】
上面部４３は、側壁部４２の上端部から屈曲してスレート３側に延出する。上面部４３は、下面部４１と向かい合っている。
【００３６】
リブ部４４は、第１リブ部４４１と、第２リブ部４４２と、を有する。
第１リブ部４４１は、下面部４１におけるケラバ側の端部４１ａからスレート３側へ所定距離離間した位置に、下面部４１からスレート３の厚さ方向上方へ向かって突出する。第１リブ部４４１は、屋根材用縦桟４の長手方向に沿って延びる。
【００３７】
第２リブ部４４２は、第１リブ部４４１からスレート３側に所定距離離間した位置で、下面部４１からスレート３の厚さ方向上方へ向かって突出する。第２リブ部４４２は、屋根材用縦桟４の長手方向に沿って延びる。
【００３８】
屋根材支持面部４６は、第２リブ部４４２の上端から第１リブ部４４１に向かって屈曲し、下面部４１と平行に延びる。屋根材支持面部４６の上面と、第１リブ部４４１の上端とは、下面部４１からの高さが略同じであり、第１リブ部４４１の上端及び屋根材支持面部４６は、スレート３を支持する。
【００３９】
第２ケラバ化粧材１０Ｂは、屋根面１Ｂ及び屋根面１Ａの下側の面１Ｃのケラバ９に配置される。第２ケラバ化粧材１０Ｂは、屋根面１Ｂ及び屋根面１Ａの下側の面１Ｃの傾斜方向に延びてケラバ９をそれぞれ覆い、保護する部材である。第２ケラバ化粧材１０Ｂは、太陽光パネル２が設置された屋根面１Ａに設けられる第１ケラバ化粧材１０Ａと、外観が概ね共通する。特に、少なくとも第１ケラバ化粧材１０Ａと第２ケラバ化粧材１０Ｂとは、少なくとも外側側面の形状が同一である。
【００４０】
第２ケラバ化粧材１０Ｂは、太陽光パネル２が設置される屋根面１Ａの下側の面１Ｃでは、太陽光パネル２が設置された屋根面１Ａにおいて太陽光パネルを覆う第１ケラバ化粧材１０Ａと傾斜方向に連続して配置される。
【００４１】
図３に戻って、第２ケラバ化粧材１０Ｂは、それぞれ第２外側枠材１１０と、第２内側枠材１２０とを有する。
【００４２】
第２外側枠材１１０は、ケラバ９に沿って延設され、第２内側枠材１２０及び屋根材用縦桟４にビス止めされる。第２外側枠材１１０は、上面部１１０ａと、外側面部１１０ｃと、を有する。
上面部１１０ａは、第２外側枠材１１０の天面を構成する。
外側面部１１０ｃは、上面部１１０ａのケラバ側端部から下方に垂設され、下地材５よりも下方に延出する。
【００４３】
第２内側枠材１２０は、ケラバ９に沿って延設され、第２外側枠材１１０の下方内側に配置される。第２内側枠材１２０は、屋根材用縦桟４にビス止めされて固定される。具体的には、第２内側枠材１２０は、覆い部１２０ａと、下地材接触面１２０ｂと、立上がり部１２０ｃと、を有する。
【００４４】
覆い部１２０ａは、スレート３のケラバ９側端部を覆うように延びる面である。覆い部１２０ａは、スレートを覆うとともに屋根材用縦桟４に取り付けられる取り付け面１２１と、取り付け面１２１からスレート３に向かって下方に延びる延出部１２２と、を含む。
取り付け面１２１は、下地材５と平行に延びて屋根材用縦桟４の上面部４３に接触可能な面である。取り付け面１２１は、上面部４３にビス止めされる。なお、取り付け面１２１は、スレート３側で上方に屈曲し、第２外側枠材１１０の上面部１１０ａの裏側に接する。
延出部１２２は、取り付け面１２１のスレート３側の端部から、下方に向かって垂設される。延出部１２２の下端部は、下地材５よりも上方に位置する。
【００４５】
下地材接触面１２０ｂは、下地材５と平行に延びて下地材５に直接接触する面である。下地材接触面１２０ｂは、第２外側枠材１１０の外側面部１１０ｃから、この外側面部１１０ｃに直交して内側へ延びる面１１０ｄと重なり、係合する。
【００４６】
立上がり部１２０ｃは、覆い部１２０ａ及び下地材接触面１２０ｂを接続するとともに、スレート３及び屋根材用縦桟４の高さ方向に立ち上がる。立上がり部１２０ｃの上端から、スレート３側に覆い部１２０ａが延出しており、覆い部１２０ａ及び立上がり部１２０ｃにより、内部に屋根材用縦桟４の一部を収容可能な凹部１２６が形成される。立上がり部１２０ｃは、太陽光パネル２を敷設した屋根面１Ａの第１外側枠材１１における中壁部１２ｃよりも、大きな高さ寸法を有する。第２外側枠材１１０の立上がり部１２０ｃは、下地材接触面１２０ｂの上面と覆い部１２０ａの取り付け面１２１の下面との間の距離が、屋根材用縦桟４の側壁部４２の高さに対応するような高さ寸法を有する。
【００４７】
第２内側枠材１２０は、覆い部１２０ａの取り付け面１２１及び延出部１２２、立上がり部１２０ｃにより開口した凹部１２６を有するように構成されている。この凹部１２６に、スレート３のケラバ側の端部が挿入される。
【００４８】
垂下部７は、第２外側枠材１１０と別体の部材である。垂下部７は、側面視で略Ｌ字状に形成され、調整部７１と、水返し部７２と、を有する。
調整部７１は、Ｌ字型の長辺部分であり、その上端が延出部１２２の下端にビス止めして取り付けられる。
水返し部７２は、Ｌ字型の短辺部分であり、調整部７１の下端からスレート３側に向かって延出する。また、水返し部７２は、面材当接部７２１を有する。面材当接部７２１は、調整部７１から遠ざかった遠位端で屈曲し、下方に延出する。
【００４９】
なお、第１ケラバ化粧材１０Ａ及び第２ケラバ化粧材１０Ｂの軒側の端部は、軒カバー１０２により覆われる（図１参照）。軒カバー１０２は、ケラバ９の軒側の端部を覆うことで、意匠性を高めるとともにケラバ９の軒側の端部を保護する。また、屋根１の棟部は、棟部化粧材１０３により覆われる（図１参照）。棟部化粧材１０３は、屋根１の屋根面１００Ａ、１００Ｂの傾斜方向に直交する方向に延びてその棟部を覆うことで、棟部を保護する。
【００５０】
以下に、本実施形態の太陽光発電屋根１の設置手順について説明する。
太陽光発電屋根１は、屋根面１Ａに太陽光パネル２を設置する際、太陽光パネル用縦桟２１の上に横桟２２が固定され、この横桟２２の上に太陽光パネル２が固定される。
【００５１】
屋根面１Ａのケラバ９には、第１ケラバ化粧材１０Ａが設置される。ケラバ９の外側側面には第１外側枠材１１が設置され、その内側に第１内側枠材１２が設置される。太陽光パネル用縦桟２１のケラバ側の端部は、第１内側枠材１２における取り付け面１２ａ及び中壁部１２ｃにより構成される凹部１２５に挿入され、ビス止めされる。
【００５２】
一方、屋根面１Ｂ又は屋根面１Ａの下側の面１Ｃにスレート３を設置する際には、屋根面１Ｂ又は屋根面１Ａの下側の面１Ｃのケラバ９には、第２ケラバ化粧材１０Ｂが設置される。ケラバ９の外側側面には第２外側枠材１１０が設置され、その内側に第２内側枠材１２０が設置される。第２内側枠材１２０の覆い部１２０ａ及び立上がり部１２０ｃにより構成される凹部１２６に、捨て谷として屋根材用縦桟４が挿入される。詳細には、屋根材用縦桟４の側壁部４２を、凹部１２６に嵌めこみ、覆い部１２０ａの取り付け面１２１と上面部４３とをビス止めして固定する。
【００５３】
スレート３の下に配置される屋根材用縦桟４の下面部４１には、第１リブ部４４１及び第２リブ部４４２が形成され、下面部４１から突出するとともに屋根材用縦桟４に沿って延びているので、何らかの状況でスレート３の下に雨水が落ちても、第１リブ部４４１及び第２リブ部４４２の間を通って雨水は軒下へ排水される。
【００５４】
上述の通り、第２内側枠材１２０における立上がり部１２０ｃは、太陽光パネル２を設置する屋根面１Ａの第１ケラバ化粧材１０Ａにおける中壁部１２ｃよりも高く形成されているので、スレート３を屋根材用縦桟４の上に載せるように、第２内側枠材１２０と屋根材用縦桟４との間に形成される凹部１２６の開口に、スレート３を挿入できる。挿入したスレート３の下面を、屋根材用縦桟４の第１リブ部４４１及び屋根材支持面部４６に支持させて、スレート３を屋根に敷設する。
【００５５】
屋根面１Ａ、１Ｂ及び屋根面１Ａの下側の面１Ｃで構成が変わっても、第１ケラバ化粧材１０Ａ及び第２ケラバ化粧材１０Ｂのケラバ９外側に配置される第１外側枠材１１、第２外側枠材１１０は、その高さが略同一であり、外側側面の外観が同一である。
【００５６】
スレート３を敷設した状態では、スレート３の厚さによっては、スレート３の上面と、第２内側枠材１２０の延出部１２２の下端との間に隙間があく。図３に示すように、スレート３が薄ければ、隙間は大きくなる。そこで、隙間の大きさに合わせながら、垂下部７を面戸として延出部１２２のケラバ９側とは反対側の面にビス止めする。垂下部７は、スレート３の上面に接近又は離間する方向に調整可能である。この際、垂下部７の水返し部７２における面材当接部７２１が、スレート３に当接ように調整されてビス止めされる。図１（ｂ）に示されるように、屋根１に雨が降った場合に、雨水は垂下部７の水返し部７２で堰き止められる。
【００５７】
本実施形態によれば、以下の効果が奏される。
本実施形態では、ケラバ化粧材１０Ｂを、屋根面１Ｂ及び屋根面１Ａの下側の面１Ｃにスレート３が敷設された太陽光発電屋根１のケラバ９に配置した。そして、屋根面１Ｂ、１Ａの下側の面から立ち上がる立上がり部１２０ｃと、該立上がり部１２０ｃの上端からスレート３側に延出し、スレート３のケラバ側端部を覆う覆い部１２０ａと、該覆い部１２０ａに取り付けられ、該覆い部１２０ａからスレート３の上面に向かって垂下してスレート３と覆い部１２０ａとの間の隙間を塞ぐ垂下部７と、をケラバ化粧材１０Ｂに含んで構成した。垂下部７の、覆い部１２０ａに対する取り付け位置を、スレート３の上面に接近又は離隔する方向に調整可能に構成した。
【００５８】
本実施形態によれば、スレート３と太陽光パネル２等のように、面材の厚さが異なるために、スレート３のケラバ側端部と、ケラバ化粧材１０Ｂとの間に隙間が空いた場合でも、隙間の間隔に合わせて垂下部７の取り付け位置を調整することができるので、ケラバ化粧材１０Ｂの高さを変えずに、面材とケラバ化粧材１０Ｂとの隙間を塞ぐことができる。よって、屋根１の意匠性が高まるとともに、雨水や鳥獣・虫等の進入を防ぐことができる。特に、屋根１に太陽光パネル２とスレート３を張り分けた場合や、一つの屋根１に異なる屋根材を張り分けた場合等に、屋根材や太陽光パネル等の厚さが異なっても、垂下部７を設けることで、面材とケラバ化粧材の隙間を塞ぐことができ、高さを揃えることができるため、美観が向上する。
【００５９】
本実施形態によれば、覆い部１２０ａを、覆い部１２０ａにおける取り付け面１２１のスレート３側の端部からスレート３の上面に向かって延びる延出部１２２を含んで構成した。また、垂下部７を、延出部１２２のケラバ９側とは反対側の側面に対して、スレート３の上面に接近又は離隔する方向に調整可能に取り付けた。これにより、垂下部７を延出部１２２のケラバ９側とは反対側の側面に当ててビス止めすることができるため、垂下部７の取り付けが容易になり、施工性が向上する。
【００６０】
本実施形態によれば、垂下部７に、その下端に設けられてスレート３の上面に当接する水返し部７２を設けた。これにより、屋根１のケラバ側を流れる雨水が、ケラバ化粧材１０Ｂの内部へと流れ込むことを防止することができる。
【００６１】
なお、本発明は上記実施形態に限定されるものではなく、本発明の目的を達成できる範囲での変形、改良等は本発明に含まれる。
【００６２】
例えば、上記実施形態では、垂下部７はスレート３を覆うケラバ化粧材１０Ｂにのみ設けられているが、これに限られない。太陽光パネルと屋根材が同一の屋根面に配置されるとともにその傾斜方向に並んで配置された太陽光発電屋根において、太陽光パネルのケラバ側端部及び屋根材のケラバ側端部を覆うように、ケラバ化粧材を傾斜方向に連続して配置させてもよい。そして、屋根材とケラバ化粧材との間の隙間を垂下部で塞ぐのみならず、太陽光パネルと、太陽光パネルを覆うケラバ化粧材との間の隙間をも塞ぐように構成してもよい。
このような構成によれば、太陽光パネル及び屋根材の厚さに関わらず、太陽光パネル側及び屋根材側のケラバ化粧材の外観を統一することができる。また、共通の部材である垂下部で隙間を塞ぐことができるので、美観が高められるとともに施工性が向上する。
【００６３】
また、上記実施形態では、屋根として太陽光発電屋根１を例に説明したが、これに限られない。屋根面に面材が敷設された屋根であれば、太陽光パネル２が敷設されていない屋根であってもよい。
【００６４】
また、上記実施形態では、屋根１を切妻屋根として説明したが、これに限られない。屋根１は、片流れの屋根でもよい。
【００６５】
また、上記実施形態では、屋根面１Ａ側に太陽光パネル２とスレート３が張り分けられているが、これに限られない。切妻屋根の一方の全面に太陽光パネルが敷設され、他方の全面に屋根材が配置されていてもよい。また、屋根面が広い場合等に、複数の領域で太陽光パネルと屋根材を張り分けてもよい。
【００６６】
また、上記実施形態では、屋根材としてスレート３を例に説明しているが、これに限られない。屋根材としては、下地材の上に敷設されて屋根の表面を構成する部材であれば、瓦や金属板等であってもよく、特に限定されない。
【符号の説明】
【００６７】
１        太陽光発電屋根（屋根）
１Ａ、１Ｂ、１Ｃ  屋根面
２        太陽光パネル
３        スレート（面材、屋根材）
７        垂下部
９        ケラバ
１０Ｂ    第２ケラバ化粧材（ケラバ化粧材）
７２      水返し部
１２０ａ  覆い部
１２０ｃ  立上がり部
１２２    延出部
【図１】
0006688067.tif 000002
【図２】
0006688067.tif 000003
【図３】
0006688067.tif 000004